(57)【要約】      （修正有）【課題】ピン挿脱によりピンと接する挟持面が擦り減り、挟持部自体が変形してしまう恐れがあった。【解決手段】第１カバー部材１１０と、ピンを挟持する挟持部と操作部が形成された１対の挟持部材１２０と、前記第１カバー部材１１０と前記挟持部材１２０を組み合わせる第２カバー部材１３０と、弾性部材と、からなるピン留め具１００において、前記第１カバー部材１１０には、前記ピンの挿入を許容する挿通孔１１１が形成され、前記第２カバー部材１３０には、前記ピンの挿入を許容する挿通孔１３１または凹部が形成され、前記第１カバー部材１１０には前記弾性部材の少なくとも一部を収納することが出来る収納部１１２が形成され、前記挟持部材１２０には前記弾性部材を伸縮自在に把持する為の把持片１２４が各々形成され、前記第１カバー部材１１０および前記第２カバー部材１３０および前記挟持部材１２０によって前記弾性部材を収納する手段を備えている。【選択図】図１
2018079265.tif 000002
【特許請求の範囲】
【請求項１】
第１カバー部材（１１０）と、
ピンを挟持する挟持部（１２１）と操作部（１２３）が形成された１対の挟持部材（１２０）と、
前記第１カバー部材と前記挟持部材を組み合わせる第２カバー部材（１３０）と、
１個以上の弾性部材（１４０）と、からなるピン留め具において、
前記第１カバー部材または前記第２カバー部材の何れか一方には、前記ピンの挿入を許容する挿通孔（１１１）が形成され、
前記第１カバー部材または前記第２カバー部材の何れか他方には、前記ピンの挿入を許容する挿通孔（１３１）または凹部（１３４）が形成され、
前記第１カバー部材および前記第２カバー部材の少なくとも何れか一方には、前記弾性部材の少なくとも一部を収納することが出来る収納空間（１１３）と前記収納空間の少なくとも一部を取り囲む収納部（１１２）が形成され、
前記挟持部材には前記弾性部材を伸縮自在に把持する為の把持片（１２４）が各々形成され、
前記第１カバー部材および前記第２カバー部材および前記挟持部材によって前記弾性部材を収納する手段を備えていることを特徴とするピン留め具。
【請求項２】
第１カバー部材（１１０Ａ）と、
ピンを挟持する挟持部（１２１Ａ）と操作部（１２３Ａ）が形成された１対の挟持部材（１２０Ａ）と、
前記第１カバー部材と前記挟持部材を組み合わせる第２カバー部材（１３０Ａ）と、
１個以上の弾性部材（１４０）と、からなるピン留め具において、
前記第１カバー部材または前記第２カバー部材の何れか一方には、前記ピンの挿入を許容する挿通孔（１１１）が形成され、
前記第１カバー部材または前記第２カバー部材の何れか他方には、前記ピンの挿入を許容する挿通孔（１３１）または凹部（１３４）が形成され、
前記挟持部材には前記弾性部材を伸縮自在に把持する為の把持面（１２５Ａ）が各々形成され、
前記第１カバー部材および前記第２カバー部材および前記挟持部材によって前記弾性部材を収納する手段を備えていることを特徴とするピン留め具。
【請求項３】
前記挟持部材を前記第１カバー部材に対して摺動可能に位置決めするガイド面（１２６）が、前記把持片に設けられていることを特徴とする請求項１に記載のピン留め具。
【請求項４】
前記収納部は外側へ凸設する形状を有していることを特徴とする請求項１または３に記載のピン留め具。
【請求項５】
前記挟持部材の各々は相対向する挟持部材に嵌挿可能であるスライド部（１２７）と切欠部（１２８）を備え、
前記スライド部と切欠部がなだらかな曲面で摺接することを特徴とする請求項１乃至４に記載のピン留め具。
【発明の詳細な説明】
【技術分野】
【０００１】  本発明は、ピアスやピンブローチなどのピン部分を有する装身具のピン留め具として使用可能な装身具用部材に関する。
【背景技術】
【０００２】  ピアスやピンブローチ等の装飾体が有するピンを係止させるピン留め具は、従来から種々の製品が提案されている。
ピン留め具の一例として実開昭５７−８５２０８号公報に記載されたものがある。
図示は省略するが、対向する一対の挟持部材がピンを挟持する為に板バネの弾性力を利用しピンを係止させる構造である。
各々の挟持部材はスライド部と切欠部を有し、板バネはスライド部と切欠部が係合する方向に弾性力を付勢する。挟持部材の両端に操作部を設けることで指先を痛める恐れを軽減し、かつ板バネの弾性力により係止させることを可能にした。
【先行技術文献】
【特許文献】
【０００６】
【特許文献１】  実開昭５７−８５２０８号公報
【発明の開示】
【発明が解決しようとする課題】
【０００７】  従来のピン留め具には耐久性に問題があり、いくつかの課題が残っている。
ピンの挿脱に伴う動きによってピンと接する挟持面が擦り減り、挟持部自体の変形に繋がった。その変形によってスライド部にゆがみが生じることで、挿脱する上で引っ掛かりが生じて支障をもたらす場合もあった。
また、ピン留め具の対角線上に位置する端部を押さえて操作する場合には、操作部がスムーズに動かず引っ掛ることもあった。
さらに、対向する挟持面間の距離が所定の距離より狭くなれば、ピンが挿入出来なくなる現象が起こる恐れがあった。
さらに、ピン留め金具が不用意に回転してしまう恐れもあった。
本発明は上記のような問題点を解決するものであり、耐久性を高め、かつ利便性を向上させたピン留め具を提供することを目的とする。
【課題を解決するための手段】
【０００８】  この目的を達成するため、本発明は、第１カバー部材１１０と、ピンを挟持する挟持部１２１と操作部１２３が形成された１対の挟持部材１２０と、前記第１カバー部材と前記挟持部材を連結させる第２カバー部材１３０と、少なくとも１個の弾性部材１４０と、からなるピン留め具において、
前記第１カバー部材または前記第２カバー部材の何れか一方には、前記ピンの挿入を許容する挿通孔１１１が形成され、前記第１カバー部材または前記第２カバー部材の何れか他方には、前記ピンの挿入を許容する挿通孔１３１または凹部１３４が形成され、前記第１カバー部材および前記第２カバー部材の少なくとも何れか一方の内側面には前記弾性部材の少なくとも一部を収納することが出来る収納部１１２が形成されており、前記第１カバー部材および前記第２カバー部材および前記挟持部材によって前記弾性部材を装着し、前記挟持部材には前記弾性部材を伸縮自在に把持する為の把持片１２４が各々形成され、前記弾性部材を収納する手段を有することを特徴とするピン留め具を提供する。【０００９】  本発明は、さらに、第１カバー部材１１０Ａと、ピンを挟持する挟持部１２１Ａと操作部１２３Ａが形成された１対の挟持部材１２０Ａと、前記第１カバー部材と前記挟持部材を連結させる第２カバー部材１３０Ａと、少なくとも１個の弾性部材１４０と、からなるピン留め具において、
前記第１カバー部材または前記第２カバー部材の何れか一方には、前記ピンの挿入を許容する挿通孔１１１が形成され、前記第１カバー部材または前記第２カバー部材の何れか他方には、前記ピンの挿入を許容する挿通孔１３１または凹部１３４が形成され、前記第１カバー部材および前記第２カバー部材および前記挟持部材によって前記弾性部材を装着し、前記挟持部材には前記弾性部材を伸縮自在に把持する為の把持面１２５Ａが各々形成され、前記弾性部材を収納する手段を有することを特徴とするピン留め具を提供する。【００１０】  本発明に係るピン留め具においては、前記把持部はガイド面１２６を備え、前記ガイド面の少なくとも一部が前記収納部の内壁面に接触し、前記挟持部材が前記第１カバー部材に対して摺動可能に位置決めする手段を有することが好ましい。【００１１】  本発明に係るピン留め具においては、前記収納部の外側面１１４に凸設形状を有することが好ましい。【００１２】  本発明に係るピン留め具においては、前記挟持部材の各々は相対向する挟持部材に嵌挿可能であるスライド部１２７と切欠部１２８を備え、前記スライド部と切欠部がなだらかな曲面で摺接することが好ましい。
【発明の効果】
【００１３】  本発明に係るピン留め具によれば、ガイド機構（ガイド面１２６）をピンの挿脱により変形しやすい挟持部１２１近傍から離れた位置に配置することが出来るので、耐久性の向上に繋がる。
収納部１１２の内径で弾性部材の径方向の幅の大きさを規定し、操作部に連動する把持片の間隔により弾性部材の長さ方向の大きさを規定することによって、弾性部材を位置決めすることが出来ようになる。
ガイド面１２６によって第１カバー部材１１０と挟持部材１２０が摺動可能になることで、内部機構を簡略化させることが出来る為、生産性を向上させ、コストダウンに繋げることが可能である。
また、把持片１２４による位置決め機構（ストッパー機能）を備えることで、対向する挟持面間の距離を一定に保つことも可能になる。
さらに、操作部の端部を押さえて操作する場合にも、引っ掛らずに操作部がスムーズに動く機構も提供する。
【図面の簡単な説明】
【００１４】
【図１】第一実施形態に係るピン留め具の分解斜視図である。
【図２】第一実施形態に係るピン留め具の組立後の斜視図である。
【図３】第一実施形態に係るピン留め具のＸ−Ｘ断面図（ピン装着時）である。
【図４】第一実施形態に係るピン留め具のＸ−Ｘ断面図（ピン挿脱時）である。
【図５】第一実施形態に係るピン留め具のＹ−Ｙ断面図である。
【図６】第一実施形態に係るピン留め具において挿通孔と凹部および収納部の組み合わせに関わる第一変形例のＹ−Ｙ断面図である。
【図７】第一実施形態に係るピン留め具において挿通孔と凹部および収納部の組み合わせに関わる第二変形例のＹ−Ｙ断面図である。
【図８】第一実施形態に係るピン留め具において挿通孔と凹部および収納部の組み合わせに関わる第三変形例のＹ−Ｙ断面図である。
【図９】第一実施形態に係るピン留め具の第１カバー部材の変形例の斜視図である。
【図１０】第一実施形態に係るピン留め具の第２カバー部材の変形例の斜視図である。
【図１１】第一実施形態に係るピン留め具の挟持部材の第一変形例（実線）および第二変形例（点線）の斜視図である。
【図１２】第一実施形態に係るピン留め具の挟持部材の第三変形例の斜視図である。
【図１３】第一実施形態に係るピン留め具の第一変形例の分解斜視図である。
【図１４】第一実施形態に係るピン留め具の第一変形例の斜視図である。
【図１５】第一実施形態に係るピン留め具の第一変形例のＹ−Ｙ断面図である。
【図１６】第一実施形態に係るピン留め具の第二変形例の斜視図である。
【図１７】第一実施形態に係るピン留め具の第三変形例の斜視図である。
【発明を実施するための形態】
【００１５】（第一実施形態）
図１は本発明の第一の実施形態に係るピン留め具１００の分解斜視図である。
本実施形態に係るピン留め具１００は、第１カバー部材１１０と、一対の挟持部材１２０・１２０’と、係合解除部材１３０と、弾性部材１４０で構成されている。
挟持部材が一対である為に、必要に応じて、１２０と１２０’、１２１と１２１’のように、シングルクォーテーション（’）を付けて区別している。両方を包括する表現では、シングルクォーテーション（’）が付いていない方を使用して説明する。
【００１６】（第１カバー部材）
第１カバー部材１１０には、ピンの挿入を許容する挿通孔１１１が形成され、弾性部材１４０の一部を収納することが出来る一対の収納空間１１３とその収納空間を覆う（または少なくとも一部を取り囲む）収納部１１２が形成されている。収納部１１２は略半円柱の形状を有し、両端部には開口部１１７が設けられ、挿通孔１１１を基準として組み立てられた際に外側になる外側面１１４を有し、開口部１１７と外側面１１４の境界となる境界縁１１８が形成されている。
【００１７】（挟持部材）
図中に全ての符号を付けると煩雑になる為、挟持部材１２０と１２０’の同様の部位を指す場合には、原則的に挟持部材１２０側のみを示し、必要に応じて挟持部材１２０’側の部位等の符号を図中に示すことにする。
【００１８】  挟持部材１２０・１２０’が対向する状態に配置され、各々同様の形状を有している。ピンを挟持するために挟持部１２１・１２１’が形成され、ピンと接する面に挟持面１２２・１２２’を備えている。各々の挟持部材は側壁を有し、対向する側壁を掴んで操作可能である操作部１２３・１２３’が形成されている。各々の挟持部材には、一対の把持片１２４・１２４’を有している。弾性部材１４０を伸縮させる為に弾性部材１４０の端部と接する把持面１２５・１２５’が形成されている。
【００１９】  また、把持片の側壁には、ガイド面１２６・１２６’が形成されている。
このガイド面が、第１カバー部材１１０の収納部１１２の内壁面と接して、図２で示す長さ方向（Ｘ−Ｘ方向）への移動を制御することが可能である。第１カバー部材１１０と挟持部材１２０が、このガイド面によって摺接して摺動可能である為、第１カバー部材１１０と挟持部材１２０において幅方向（Ｙ−Ｙ方向）のブレが発生することを抑えて安定性を高めることに繋がる。
【００２０】  また、把持片１２４において把持面１２５とは反対側の面にストッパー面１２９・１２９’が形成されている。把持片のストッパー面１２９が境界縁１１８に当る位置でストップすることを利用して、対向する挟持面１２５・１２５’の距離を一定に保つことが出来る。
この為、挿通孔１１１から挿通孔１３１に通じるピンの挿し込み部が狭くなることや、あるいは塞いでしまうことを防ぐことが出来るようになる。
さらに、挟持部材がピン留め具本体から抜け落ちてしまうことを防止するストッパーとしての機能を把持片１２４またはストッパー面１２９に持たせることも可能である。
（第２カバー部材）
【００２１】  第２カバー部材１３０の中央には、ピンの挿通を許容する挿通孔１３１が形成され、側壁１３３を備えている。挿通孔を基準として、組み立てられた際に内側になる内側面１３２を有している。第１カバー部材１１０と挟持部材１２０と第２カバー部材１３０との３部材を組み合わせる際には、この側壁の先端部を折り曲げることで結合状態を保つことが出来る。
また、上記以外の組み合わせ方法として、第１カバー部材１１０と第２カバー部材１３０をスポット溶接で接合させる方法やボンド等の接着剤で接着させる方法も可能である。
【００２２】（弾性部材）
この実施例では弾性部材にコイルバネを使用しているが、コイルバネに限らず、シリコンゴムや板バネ等の弾性体を利用することも可能である。
【００２３】（ピン）
図３や図４で示すピン１５０は、先端部に周溝が形成されているが、本発明におけるピンの概念の中に、先端部に溝のないピンや、先端が尖った針形状のピンや、ダボ形状のピンを含ませることが可能である。
【００２４】  図２は第一の実施形態に係るピン留め具の組立後の斜視図である。挿通孔１１１を中心として、Ｘ−Ｘ方向とＹ−Ｙ方向を示している。また収納部１１２の表面に線状の溝１１６を形成することで、ピン留めされた際に外部と接触する面との間に生まれる摩擦力が高まり、ピン留め具１００が不用意に回転してしまう力を軽減させることが可能である。
【００２５】  図３と図４は、ピン留め具１００とピン１５０との係合を解除する際の過程を示すＸ−Ｘ断面図である。
図３はピン１５０がピン留め具１００に装着されている状態を表している。弾性部材１４０は、挟持部材１２０と１２０’を離間させる方向へ弾性力を付勢しており、同時に挟持部１２１と１２１’を接近させる方向へ弾性力を働かせている。この弾性力の働きにより、挟持面１２２と挟持面１２２’との距離が縮まり、挟持部がピン１５０を押さえて、ピン１５０がピン留め具１００に装着されるようになる。
【００２６】一方、図４では、操作部１２３と１２３’を掴んで、弾性部材１４０の弾性力に抗する方向へ力を加えた状態を表している。これによって、挟持面１２２と挟持面１２２’との距離が拡がり、装着されていたピン１５０を抜き出すことが可能になる。
【００２７】  図３と図４で示すように、収納部１１２と把持面１２５と第２カバー部材１３０の内側面によって囲まれた空間１６０が形成されている。この空間１６０を指して略ボンベ空間と呼ぶことも可能である。
この空間１６０の内部に弾性部材１４０が収納されており、弾性部材１４０が上下左右の壁面で囲まれている為、バネのゆがみが発生しにくくバネの劣化を抑えている。
【００２８】  この略ボンベ空間に、液体や気体ではなく固体の弾性部材を収めることで、収縮された状態から元の状態へ戻ろうとする復元力を高レベルに保持することが出来る。
自転車等に用いる空気入れで空気を圧縮した際にその反動で跳ね上る力が生じるが、略チューブ状に形成された略ボンベ空間に伸縮可能な弾性体を収めることで同様の力を活用させることが可能になる。
この略ボンベ空間が形成されている点が、本発明の要素の１つと考えることも出来る。
【００２９】  図５は第一の実施形態に係るピン留め具のＹ−Ｙ断面図である。
第１カバー部材１１０の中央に挿通孔１１１が形成され、第２カバー部材１３０の中央に挿通孔１３１が形成されている。挿通孔と凹部および収納部の組み合わせにおいて、この組み合わせが基本であり、組み合わせの変形例を図６から図８に示す。
【００３０】  図６は第一の実施形態に係るピン留め具において挿通孔と凹部および収納部の組み合わせに関わる第一変形例のＹ−Ｙ断面図である。
第１カバー部材１１０の中央に挿通孔１１１が形成され、第２カバー部材１３０の中央に凹部１３４が形成されている。
【００３１】  図７は第一の実施形態に係るピン留め具において挿通孔と凹部および収納部の組み合わせに関わる第二変形例のＹ−Ｙ断面図である。
第１カバー部材１１０の中央に凹部１１５が形成され、第２カバー部材１３０の中央に挿通孔１３１が形成されている。ピン１５０は第２カバー部材１３０側から挿入されて、ピン１５０の先端部は凹部１１５に収まるように設計されている。
【００３２】  図８は第一の実施形態に係るピン留め具において挿通孔と凹部および収納部の組み合わせに関わる第三変形例のＹ−Ｙ断面図である。
第１カバー部材１１０の中央に挿通孔１１１が形成され、第２カバー部材１３０の中央に挿通孔１３１が形成されて、第２カバー部材１３０の内側面に第２収納部１３５が形成されている。
この第２収納部１３５は、収納部１１２と共に弾性部材を包み込む役割をする。
【００３３】  図５から図８で示した組み合わせ以外にも、挿通孔と凹部および収納部の組み合わせを変えることで、バリエーションを広げることが可能である。
【００３４】  図９は第一の実施形態に係るピン留め具の第１カバー部材の変形例の斜視図である。収納部１１２の両端部の形状は略半球状に拡がる形状を有している。
図１で示された開口部１１７から、チリやゴミ等の異物が内部へ入り込んでしまう恐れがあったが、図９においては、収納部１１２の開口部を塞いだ形状である為、異物が内部へ入り込むことを防ぐことが出来る。
また、収納部１１２の両端に段差縁１１９が形成され、段差縁１１９の内側面にストッパー面１２９が当たることで、挟持部材１２０を所定の位置に留めさせて、ストッパーの機能を有することが可能になる。
収納部１１２の形状は本実施形態の中で図示されたものに限らず、加工方法によって種々の形状を有する場合や収納部の表面にデザインが施される場合も有り得る。
【００３５】  図１０は第一の実施形態に係るピン留め具の第２カバー部材の変形例の斜視図である。第２カバー部材１３０の側壁１３３に半円柱状の爪部１３６が形成されている。図１や図２などに示されている第２カバー部材１３０の側壁１３３は直線的な形状で一つの爪の状態になっているが、図１２で示すように複数個の爪によって係合させることが可能であり、材料の体積を減らすことで軽量化を図ることも出来る。
【００３６】  この図１０の中にもう一つの変形例を表しており、図８で示した第２カバー部材１３０に形成されている第２収納部１３５の形状を点線で表している。第２収納部１３５よって、弾性部材１４０の収納位置のバランスを取ることも出来るようになる。
【００３７】  図１１は第一実施形態に係るピン留め具の挟持部材の第一変形例（実線）および第二変形例（点線）の斜視図である。挟持部材１２０・１２０’の各々に挟持部から長さ方向に伸びるスライド部１２７・１２７’が形成されており、挟持部材１２０・１２０’の各々の中央部付近に切欠部１２８・１２８’が形成されている。スライド部１２７と切欠部１２８’、および、スライド部１２７’と切欠部１２８は互いに嵌合可能に相対向する位置に置かれている。
【００３８】  また、挟持部材１２０・１２０’の動きを制御するガイドの役割をスライド部１２７・１２７’が担っている。
第１カバー部材１１０と挟持部材１２０が、このスライド部１２７・１２７’と切欠部１２８・１２８’によって摺動可能である為、第１カバー部材１１０と挟持部材１２０において幅方向（Ｙ−Ｙ方向）のブレが発生することを抑えて安定性をより一層高めることに繋がる。
【００３９】  この図１１の中にもう一つの変形例を表しており、挟持部材１２０の操作部１２３を形成する側壁１３３が第２カバー部材１３０側に延びる変形例を点線で表している。
これによって、操作部１２３の高さによって収納部１１２の表面に形成された溝の役割を損ねる心配がなくなる。操作部１２３の高さや延びる方向については、図示されたものに限らず自由にアレンジ可能である。
【００４０】  図１２は第一の実施形態に係るピン留め具の挟持部材の第三変形例の斜視図である。
スライド部１２７・１２７’が丸みのある三角形の形状（略カム形状）であり、このスライド部の形状に合わせて、切欠部１２８・１２８’も丸みのある溝形状になっている。
スライド部と切欠部がなだらかな曲面で摺接している状態であり、別の表現で言えば、スライド部と切欠部は倣い形状であると言うことも出来る。
この形状により、長さ方向（Ｘ−Ｘ方向）と幅方向（Ｙ−Ｙ方向）を有する平面上における対角線上に位置する端部を押さえて挟持部材１２０を操作する場合でも、スライド部と切欠部が途中で引っ掛かることを避け、操作部をスムーズに動かすことが可能になる。
【００４１】  図１３は第一の実施形態に係るピン留め具の第一変形例１００Ａの分解斜視図である。本実施形態に係るピン留め具１００Ａは、第１カバー部材１１０Ａと、一対の挟持部材１２０Ａ・１２０Ａ’と、係合解除部材１３０Ａと、弾性部材１４０で構成されている。第１カバー部材１１０Ａはフラットな板状の形状であり、中央部に挿通孔１１１が形成されている。
【００４２】  この変形例における最大の特徴として、挟持部材１２０Ａは弾性部材１４０の直径幅と同等またはそれ以上の厚み幅を有している。
この厚みがあることで、ピンの挿脱に伴う摩擦で挟持部が変形するという従来課題の克服することが可能になる。
【００４３】  挟持部材１２０Ａ・１２０Ａ’が対向する状態に配置され、各々同様の形状を有している。ピンを挟持するために挟持部１２１Ａ・１２１Ａ’が形成され、ピンと接する面に挟持面１２５・１２５Ａ’を備えている。各々の挟持部材は側壁を有し、対向する側壁を掴んで操作可能である操作部１２３Ａ・１２３Ａ’が形成されている。
弾性部材１４０を伸縮させる為に弾性部材１４０の端部と接する把持面１２５Ａ・１２５Ａ’が形成されている。
挟持部材１２０Ａ・１２０Ａ’の各々に挟持部から長さ方向に伸びるスライド部１２７Ａ・１２７Ａ’が形成されており、挟持部材１２０Ａ・１２０Ａ’の各々の中央部付近に切欠部１２８Ａ・１２８Ａ’が形成されている。スライド部１２７Ａと切欠部１２８Ａ’、および、スライド部１２７Ａ’と切欠部１２８Ａは互いに嵌合可能に相対向する位置に置かれている。
【００４４】  第２カバー部材１３０Ａは中央部に挿通孔１３１Ａが形成され、側壁１３３を備えている。第１カバー部材１１０Ａと挟持部材１２０Ａと第２カバー部材１３０Ａとの３部材を組み合わせる際には、この側壁の先端部を折り曲げることで係合状態を保つことが出来る。図示された例では、側壁１３３の内側に段差面１３７が形成されている。
第１カバー部材１１０Ａを第２カバー部材１３０Ａの内部に置くと、段差面１３７に接して係止した状態になる。段差面１３７があることで、第１カバー部材１１０Ａと挟持部材１２０Ａとの間に隙間を持たせることが出来る。
【００４５】  さらに、挟持部材１２０Ａの外周の一部に係止面１６１が形成され、第２カバー部材１３０Ａの側壁１３３の両端に係止片１３８が形成されている。
挟持部材１２０Ａが弾性部材１４０の弾性力を受けて外側方向へ移動する際に、係止面１６１と係止片１３８が当たることで、挿通孔１１１から挿通孔１３１に通じるピンの挿し込み部が狭くなることや、あるいは塞いでしまうことを防ぐことが出来るようになる。
この機能は、便宜上、図１３に示したに過ぎない為、図１３に示すピン留め具１００Ａに限定されるものではなく、他の図で示すピン留め具１００・１００Ｂ・１００Ｃの中でも組み入れることが可能である。
【００４６】  図１４は第一の実施形態に係るピン留め具の第一変形例１００Ａの組立後の斜視図である。挿通孔１１１を中心として、Ｘ−Ｘ方向とＹ−Ｙ方向を示している。
【００４７】  図１５は第一の実施形態に係るピン留め具の第一変形例１００ＡのＹ−Ｙ断面図である。
収納部１１２Ａと把持面１２５Ａと第２カバー部材１３０Ａの内側面によって囲まれた空間１６０Ａが形成されている。この空間１６０Ａの内部に弾性部材１４０が収納されており、弾性部材１４０が直線的に収縮されることで、バネのゆがみが発生しにくく、バネの劣化を抑えている。
【００４８】  図１６は第一の実施形態に係るピン留め具の第二変形例１００Ｂの斜視図である。
第１カバー部材１１０に形成された収納部１１２が１個の場合の例を示している。
図１では一対の収納部と一対以上の弾性部材から構成されているが、この変形例によって示されているように、
単数の収納部で単数の弾性部材でも、ピン留め具１００を構成することが可能である。
【００４９】  図１７は第一の実施形態に係るピン留め具の第三変形例１００Ｃの斜視図である。
第１カバー部材１１０に２つの挿通孔が形成されている。
ピン付装飾体の本体において２本のピンが伸びることで、不用意に回転してしまうことを防ぐことが出来る。
【００５０】  図面に記載されているかどうかに係わらず、全般的に第１カバー部材１１０と挟持部材１２０が摺動する組み合わせにおいて、スムーズな動きが行えるように必要な分のクリアランス（隙間）を有していることが好ましい。
【産業上の利用可能性】
【００５１】  本発明に係るピン留め具は、ピアス、ピンブローチ、ピンバッチ、その他ピン付装飾体のための留め具として、優れた作用・効果を期待できる。
【符号の説明】
【００５２】１００  本発明の第一の実施形態に係るピン留め具
（請求項２の実施例には符号の末尾にＡを付けて区別した）
１１０  第１カバー部材
１１１  挿通孔
１１２  収納部
１１３  収納空間
１１４  外側面
１１５  凹部
１１６  溝
１１７  開口部
１１８  境界縁
１１９  段差縁
１２０・１２０’  挟持部材
１２１・１２１’  挟持部
１２２・１２２’  挟持面
１２３・１２３’  操作部
１２４・１２４’  把持片
１２５・１２５’  把持面
１２６・１２６’  ガイド面
１２７・１２７’  スライド部
１２８・１２８’  切欠部
１２９・１２９’  ストッパー面
１３０  第２カバー部材
１３１  挿通孔
１３２  内側面
１３３  側壁
１３４  凹部
１３５  第２収納部
１３６  爪部
１３７  段差面
１３８  係止片
１４０  弾性部材
１５０  ピン
１６０  空間（ボンベ空間）
１６１  係止面（挟持部材の一部）
【図１】
2018079265.tif 000003
【図２】
2018079265.tif 000004
【図３】
2018079265.tif 000005
【図４】
2018079265.tif 000006
【図５】
2018079265.tif 000007
【図６】
2018079265.tif 000008
【図７】
2018079265.tif 000009
【図８】
2018079265.tif 000010
【図９】
2018079265.tif 000011
【図１０】
2018079265.tif 000012
【図１１】
2018079265.tif 000013
【図１２】
2018079265.tif 000014
【図１３】
2018079265.tif 000015
【図１４】
2018079265.tif 000016
【図１５】
2018079265.tif 000017
【図１６】
2018079265.tif 000018
【図１７】
2018079265.tif 000019